(57)【特許請求の範囲】
【請求項１】
粒子を含む懸濁液に電界を印加しながら、前記懸濁液中の位置における圧力に関連するパラメータの経時変化を測定するステップと、
前記パラメータの経時変化と前記粒子の粒度分布とを用いて、前記粒子の粒径ごとのゼータ電位を算出するステップと、
を含む、ゼータ電位測定方法。
【請求項２】
前記パラメータの経時変化を測定する前に、前記懸濁液中の前記粒子に電荷を付与するステップを更に含む、請求項１に記載のゼータ電位測定方法。
【請求項３】
前記パラメータが、前記懸濁液中の位置に配置された物体の重量である、請求項１又は２に記載のゼータ電位測定方法。
【請求項４】
前記パラメータが、前記懸濁液中の位置における圧力である、請求項１又は２に記載のゼータ電位測定方法。
【請求項５】
粒子を含む懸濁液に電界を印加するための電極と、
前記懸濁液中の位置における圧力に関連するパラメータの経時変化を測定する測定装置と、
前記パラメータの経時変化と前記粒子の粒度分布とを用いて、前記粒子の粒径ごとのゼータ電位を算出する演算装置と、
を備える、ゼータ電位測定システム。
【請求項６】
前記懸濁液中の前記粒子に電荷を付与する電荷付与装置を更に備える、請求項５に記載のゼータ電位測定システム。
【請求項７】
前記測定装置が、前記懸濁液中の位置に配置された物体の重量を測定する秤である、請求項５又は６に記載のゼータ電位測定システム。
【請求項８】
前記測定装置が、前記懸濁液中の位置において圧力の経時変化を測定する圧力センサである、請求項５又は６に記載のゼータ電位測定システム。
【発明の詳細な説明】
【技術分野】
【０００１】
本発明は、ゼータ電位測定方法及びゼータ電位測定システムに関する。
【背景技術】
【０００２】
粒子の重要な指標としてゼータ電位がある。ゼータ電位は、通常、電気泳動させた粒子の移動度を直接観測することによって算出される。このようなゼータ電位測定装置として、例えば、Malvern Instruments Ltd.製ゼータサイザー２０００が知られている。
【０００３】
一方、微粒子表面のゼータ電位の差を利用して微粒子を分級する方法が、近年盛んに検討されている（特許文献１〜３参照）。
【先行技術文献】
【特許文献】
【０００４】
【特許文献１】特開２００５−２３０７１２号公報
【特許文献２】特開２００５−３３４８６５号公報
【特許文献３】特開２０１１−１２５８０１号公報
【発明の概要】
【発明が解決しようとする課題】
【０００５】
微粒子表面のゼータ電位の差を利用して微粒子を分級する方法においては、粒径ごとの精密なゼータ電位の数値が必要になる。
【０００６】
しかしながら、上述のようなゼータ電位測定装置では、懸濁液中の粒子の移動度を直接観測するため、懸濁液中の粒子の粒径ごとのゼータ電位を簡便に測定することはできない。そこで本発明者は、粒径ごとのゼータ電位を簡便に測定できる新たな方法の探索を行った。
【０００７】
本発明は、上記事情に鑑みて為されたものであり、粒子の粒径ごとのゼータ電位が簡便に得られるゼータ電位測定方法及びゼータ電位測定システムを提供することを目的とする。
【課題を解決するための手段】
【０００８】
上述の課題を解決するため、本発明の一側面に係るゼータ電位測定方法は、粒子を含む懸濁液に電界を印加しながら、前記懸濁液中の位置における圧力に関連するパラメータの経時変化を測定するステップと、前記パラメータの経時変化と前記粒子の粒度分布とを用いて、前記粒子の粒径ごとのゼータ電位を算出するステップと、を含む。
【０００９】
上記ゼータ電位測定方法では、粒子が移動することによって、懸濁液中の位置より上に存在する懸濁液の柱状部分の密度が経時変化する。このため、懸濁液中の位置における圧力に関連するパラメータが経時変化する。ここで、ゼータ電位は粒径ごとに異なるため、電界による粒子の移動速度も粒径ごとに異なる。そのため、懸濁液中の位置における圧力に関連するパラメータの経時変化には、粒径ごとのゼータ電位が反映されることになる。したがって、パラメータの経時変化と粒子の粒度分布とを用いることによって、粒子の粒径ごとのゼータ電位が簡便に得られる。
【００１０】
上記ゼータ電位測定方法は、前記パラメータの経時変化を測定する前に、前記懸濁液中の前記粒子に電荷を付与するステップを更に含んでもよい。
【００１１】
微粒子表面のゼータ電位の差を利用して微粒子を分級する方法を採用する場合、予めビーズミル等により摩擦帯電を行うことが好ましい。ビーズミルでは、分級の対象となる微粒子とは別に粒径の大きい均一径のビーズを懸濁液に投入し、攪拌を行うことによって分級の対象となる微粒子を帯電させる。古典的なゼータ電位の考え方では、同一組成の粒子であればゼータ電位は等しいとされる。しかしながら、予めビーズミル等で摩擦帯電を行う場合、粒径によってゼータ電位が異なるという現象が起こる。これは、分級の対象となる微粒子と粒径の大きい均一径のビーズとの接触性が、微粒子の粒径によって異なる為であると考えられる。
【００１２】
粒径の大きい均一径のビーズは、プラス又はマイナスに帯電していることが好ましい。ビーズの粒径は均一であればあるほど好ましい結果が得られる。具体的には、ビーズの粒径の変動係数（ＣＶ）が３％未満であるようなビーズを用いると良い。このような方法により粒子に電荷を付与した後、上述のゼータ電位測定方法を用いて粒径ごとのゼータ電位を測定しておくことによって、分級精度の向上が見込める。
【００１３】
前記パラメータは、前記懸濁液中の位置に配置された物体の重量であってもよい。この場合、懸濁液中の位置における圧力が経時変化することによって、物体の受ける浮力が経時変化する。例えば、懸濁液中の位置における圧力が経時的に小さくなると、物体の受ける浮力も経時的に小さくなる。この場合、物体の重量は経時的に大きくなる。よって、懸濁液中の位置に配置された物体の重量を測定すれば、粒子の粒径ごとのゼータ電位がより簡便に得られる。物体の重量は、例えば懸濁液中の位置に配置された物体の重量を測定する秤を用いて測定可能である。この場合、秤を懸濁液の上方に配置し、秤から物体を吊り下げることによって物体の重量が測定される。
【００１４】
前記パラメータは、前記懸濁液中の位置における圧力であってもよい。圧力は、例えば懸濁液中の位置における圧力を測定する圧力センサを用いて測定可能である。
【００１５】
前記パラメータは、前記懸濁液中の位置における前記懸濁液の濁度又は屈折率であってもよいし、前記懸濁液中の位置における前記懸濁液の粒子密度であってもよい。懸濁液中の粒子密度は、例えばある範囲における前記懸濁液の画像中の粒子数をカウントすることによって測定可能である。
【００１６】
本発明の一側面に係るゼータ電位測定システムは、粒子を含む懸濁液に電界を印加するための電極と、前記懸濁液中の位置における圧力に関連するパラメータの経時変化を測定する測定装置と、前記パラメータの経時変化と前記粒子の粒度分布とを用いて、前記粒子の粒径ごとのゼータ電位を算出する演算装置と、を備える。
【００１７】
このシステムでは、上述のように、パラメータの経時変化と粒子の粒度分布とを用いることによって、粒子の粒径ごとのゼータ電位が簡便に得られる。
【００１８】
上記ゼータ電位測定システムは、前記懸濁液中の前記粒子に電荷を付与する電荷付与装置を更に備えてもよい。
【００１９】
前記測定装置は、前記懸濁液中の位置に配置された物体の重量を測定する秤であってもよい。この場合、上述のように、粒子の粒径ごとのゼータ電位がより簡便に得られる。
【００２０】
前記測定装置は、前記懸濁液中の位置において圧力の経時変化を測定する圧力センサであってもよい。
【００２１】
前記測定装置は、前記懸濁液中の位置において前記懸濁液の濁度又は屈折率の経時変化を測定する装置でもよいし、前記懸濁液中の位置において前記懸濁液の粒子密度の経時変化を測定する装置でもよい。粒子密度の経時変化を測定する装置は、ある範囲における前記懸濁液の画像を撮影する装置と、前記画像中の粒子数をカウントする装置とを備えてもよい。
【発明の効果】
【００２２】
本発明によれば、粒子の粒径ごとのゼータ電位が簡便に得られるゼータ電位測定方法及びゼータ電位測定システムが提供される。
【図面の簡単な説明】
【００２３】
【図１】第１実施形態に係るゼータ電位測定システムを模式的に示す図である。
【図２】図１の一部を拡大した図である。
【図３】第１実施形態に係るゼータ電位測定方法を示すフローチャートである。
【図４】粒度分布の一例を示すグラフである。
【図５】検出容器の重量の経時変化の一例を示すグラフである。
【図６】粒径とゼータ電位との関係の一例を示すグラフである。
【図７】検出容器の重量の経時変化の別の例を示すグラフである。
【図８】粒径とゼータ電位との関係の別の例を示すグラフである。
【図９】第２実施形態に係るゼータ電位測定システムを模式的に示す図である。
【発明を実施するための形態】
【００２４】
以下、添付図面を参照しながら本発明の実施形態を詳細に説明する。なお、図面の説明において、同一又は同等の要素には同一符号を用い、重複する説明を省略する。
【００２５】
（第１実施形態）
図１は、第１実施形態に係るゼータ電位測定システムを模式的に示す図である。図２は、図１の一部を拡大した図である。図１に示されるゼータ電位測定システム１０では沈降天秤法が用いられている。ゼータ電位測定システム１０は、電極４４，４６と、測定装置３６と、演算装置３８とを備える。ゼータ電位測定システム１０は、必要に応じて電荷付与装置１２を備えてもよい。
【００２６】
電荷付与装置１２は、例えば攪拌槽１４内に収容された懸濁液（スラリー）を攪拌することによって、懸濁液中の粒子（粉体）に電荷を付与すると共に懸濁液中に粒子を均一に分散させることができる。粒子は通常マイナスの電荷を付与されるが、プラスの電荷を付与されてもよい。電荷付与装置１２は、例えばビーズミル等の攪拌器である。電荷付与装置１２は、例えばコントローラ１６に接続される。コントローラ１６は、例えば電荷付与装置１２の攪拌速度（攪拌翼の周速度）、攪拌時間等を制御することができる。電荷付与装置１２は、攪拌以外の方法によって懸濁液中の粒子に電荷を付与してもよい。
【００２７】
懸濁液は、粒子と液体（分散液）とを含む。懸濁液中の粒子は、有機粒子でもよいし、無機粒子でもよい。このような粒子は、異方導電膜又は異方導電ペーストに含まれる導電粒子の核体として使用可能である。有機粒子の材料としては、例えばアクリル樹脂、スチレン樹脂、等が挙げられる。無機粒子の材料としては、例えばシリカ（ＳｉＯ２）等が挙げられる。懸濁液中の粒子の平均粒径は、例えば１００μｍ以下であり、３μｍ以下でもよいし、５０μｍ以上でもよい。懸濁液中の液体としては、例えば水等が挙げられる。
【００２８】
電荷付与装置１２がビーズミルの場合、使用されるビーズは、例えばシリカ等の無機材料からなる。ビーズの粒径は、特に限定されないが、濾別の容易性を考慮すると、１００μｍ以上、１０００μｍ以下であることが好ましい。ビーズが単分散であるほど、粒径に応じた電荷を粒子に付与できる。ビーズの粒径のばらつきについては、粒径の変動係数をＣＶとして、ＣＶ＜３％であることが好ましい。
【００２９】
攪拌槽１４には、超音波振動子２０が取り付けられてもよい。超音波振動子２０は、超音波発信器２２によって駆動され、攪拌槽１４内の懸濁液に超音波を照射する。これにより、懸濁液中の粒子の凝集が抑制されると共に、懸濁液中に粒子をより均一に分散させることができる。
【００３０】
攪拌槽１４には、例えばバルブ１８が設けられている。バルブ１８の開閉は、コントローラ１６によって制御される。バルブ１８が開くと、懸濁液は、配管２４を通った後、供給管２６及びバイパス管２８を経由して沈降槽３０に供給される。電荷付与装置１２がビーズミルの場合、使用されるビーズの粒径は、懸濁液中の粒子の粒径より大きいことが好ましい。これにより、ビーズがバルブ１８を通過することを抑制できる。
【００３１】
電極４４，４６間において、粒子を含む懸濁液に電界が印加される。電界は、例えば重力方向に沿って印加される。電極４４，４６は、例えば金属や導電性高分子等の導電性材料からなる。電極４４は、例えば沈降槽３０の底面に配置された金属プレートである。電極４６は、例えば沈降槽３０内に収容された懸濁液の液面に配置された金属メッシュである。電極４４，４６は、例えば電気配線を介してそれぞれＤＣ電源４８に接続される。これにより、電極４４，４６間に電圧ΔＶが印加される。電極４４，４６間の電圧ΔＶは、１〜２００Ｖであることが好ましい。例えば電極４４をプラス電位、電極４６をマイナス電位とすることができる。
【００３２】
測定装置３６は、懸濁液の液面からの深さｈ（懸濁液中の位置）における圧力に関連するパラメータの経時変化を測定する。深さｈは例えば８ｃｍ程度である。本実施形態において、測定装置３６は、深さｈに配置された検出容器３２（物体）の重量を測定する秤である。秤としては、例えば測定精度の高い精密電子天秤が挙げられる。検出容器３２の重量は、深さｈにおける圧力に関連するパラメータの一例である。検出容器３２の重量を測定することによって、深さｈにおける圧力を間接的に検知することができる。測定装置３６は、演算装置３８に接続されている。これにより、測定装置３６において測定された検出容器３２の重量データは演算装置３８に送られる。
【００３３】
検出容器３２は、例えば支持ワイヤ３４によって測定装置３６から吊り下げられている。検出容器３２は、対向する電極４４，４６間に配置されている。検出容器３２の底面は深さｈに位置する。検出容器３２内には、懸濁液が充填されている。バイパス管２８から沈降槽３０内に懸濁液を供給することによって、懸濁液の供給によって検出容器３２が振動することを抑制できる。
【００３４】
演算装置３８は、パラメータの経時変化と粒子の粒度分布とを用いて、粒子の粒径ごとのゼータ電位を算出する。本実施形態において、演算装置３８は、検出容器３２の重量の経時変化と粒子の粒度分布とを用いて、粒子の粒径ごとのゼータ電位を算出する。演算装置３８は、例えばコンピュータである。演算装置３８は、例えばハードディスク等の記憶装置を有してもよい。演算装置３８には、例えばディスプレイ等の出力装置４０と、例えばキーボード等の入力装置４２が接続されている。粒子の粒度分布は、例えば動的光散乱法を用いた粒度分布測定装置によって予め測定され、演算装置３８の記憶装置に記録されている。
【００３５】
図３は、第１実施形態に係るゼータ電位測定方法を示すフローチャートである。本実施形態に係るゼータ電位測定方法は、例えば図１に示されるゼータ電位測定システム１０によって行われる。
【００３６】
まず、懸濁液中の粒子に電荷を付与する（ステップＳ１）。本実施形態では、電荷付与装置１２を用いて攪拌槽１４内の懸濁液中の粒子に電荷を付与する。粒子に電荷を付与した後、攪拌槽１４内の懸濁液を沈降槽３０に供給する。ただし、粒子に電荷を付与するステップＳ１を行わなくてもよい。
【００３７】
次に、粒子を含む懸濁液に電界を印加しながら、パラメータの経時変化を測定する（ステップＳ２）。本実施形態では、電極４４，４６を用いて、沈降槽３０内の懸濁液に電界を印加する。電界を印加し続ける間、測定装置３６を用いて検出容器３２の重量の経時変化を測定する。測定された検出容器３２の重量の経時変化は、演算装置３８の記憶装置に記録される。
【００３８】
次に、パラメータの経時変化と粒子の粒度分布とを用いて、粒子の粒径ごとのゼータ電位を算出する（ステップＳ３）。本実施形態では、検出容器３２の重量の経時変化と粒子の粒度分布とを用いて、演算装置３８が以下のように粒径ごとのゼータ電位を算出する。
【００３９】
測定された検出容器３２の重量の経時変化については、任意の時刻ｔにおいて、以下の式（１）が成立する。
【数１】
0005713349.tif 000002
【００４０】
Ｇｔは、時刻ｔにおける重量変化量を示す。Ｇｔｅは、測定終了時刻における重量変化量を示す。Ｗｔは、時刻ｔにおいて測定された検出容器３２の重量を示す。Ｗｔｅは、測定終了時刻において測定された検出容器３２の重量を示す。Ｗ０は、初期（時刻ｔ＝０）において測定された検出容器３２の重量を示す。ｆ（Ｄｐ）は粒子の粒度分布を示す。Ｄｐは粒径を示す。Ｄｅは所定の粒径を示す。ｈは懸濁液の液面からの深さを示す。νは粒子の移動速度を示す。ｔは時刻を示す。よって、νｔは粒子の移動距離に対応する。
【００４１】
左辺のＧｔ／Ｇｔｅは、時刻ｔにおいて深さｈを通過した粒子の総質量が、測定終了時刻において深さｈを通過した粒子の総質量に占める割合を示している。右辺の前半部分は、所定の粒径Ｄｅ以上の粒径を有する粒子が、時刻ｔにおいて深さｈを通過していることを示す。右辺の後半部分は、所定の粒径Ｄｅ以下の粒径を有する粒子のうち、深さｈから上に距離νｔまでの範囲に位置する粒子だけが、時刻ｔにおいて深さｈを通過していることを示す。
【００４２】
粒子の移動速度ν（Ｄｐ）は、以下の式（２）で表される。粒子の移動速度ν（Ｄｐ）は式（１）の粒子の移動速度νと同じものである。
【数２】
0005713349.tif 000003
【００４３】
ρｐは粒子の密度を示す。ρｆは分散液の密度を示す。ｇは重力加速度を示す。μは分散液の粘度を示す。ｅは自然対数の底（約２．７）を示す。εは分散液の誘電率を示す。ΔＶは懸濁液に印加された電圧を示す。ｌは対向する電極間距離を示す。ζはゼータ電位を示す。
【００４４】
右辺の前半部分は、重力による粒子の沈降速度（ストークスの式）に対応する。右辺の後半部分は、電界による粒子の移動速度に対応する。
【００４５】
ゼータ電位は粒径に依存するので、ゼータ電位ζは粒径Ｄｐの関数Ｈ（Ｄｐ）である。ゼータ電位の近似式として例えば２次式を用いると以下の式（３）が成立する。なお、ゼータ電位の近似式としては、例えば３次式、４次式等の高次式を用いてもよい。
ζ＝ａＤｐ２＋ｂＤｐ＋ｃ    （３）
【００４６】
一方、粒子の粒度分布ｆ（Ｄｐ）を、例えば動的光散乱法を用いた粒度分布測定装置によって予め測定する。また、検出容器３２の重量の経時変化の実験データから、複数（例えば４０個）の時刻ｔにおいて式（１）の左辺であるＧｔ／Ｇｔｅを算出する。これらの値を式（１）に当てはめ、式（１）〜（３）を用いて、実験値（複数の時刻ｔにおいて算出されたＧｔ／Ｇｔｅ）に合うように、ａ，ｂ，ｃの最適値を決定する。ゼータ電位の近似式をｎ次式とした場合、ｎ＋１個の最適値が決定される。
【００４７】
上述の手順は、コンピュータプログラムによって実行されてもよい。コンピュータプログラムは、演算装置３８の記憶装置に格納されてもよいし、コンピュータ読み取り可能な記録媒体、その他の記憶装置に格納されてもよい。
【００４８】
ステップＳ１の後、４時間以内、更に好ましくは１時間以内にステップＳ２を開始することが好ましい。この場合、粒径に対するゼータ電位の微分値（勾配）が大きくなる。
【００４９】
本実施形態に係るゼータ電位測定システム１０及びゼータ電位測定方法では、粒子が移動することによって、懸濁液の液面からの深さｈより上に存在する懸濁液の柱状部分の密度が経時変化する。このため、深さｈにおける圧力が経時変化することによって、検出容器３２の受ける浮力が経時変化する。例えば、深さｈにおける圧力が経時的に小さくなると、検出容器３２の受ける浮力も経時的に小さくなる。その結果、検出容器３２の重量が経時的に大きくなる。ここで、ゼータ電位は粒径ごとに異なるため、電界による粒子の移動速度も粒径ごとに異なる。そのため、検出容器３２の重量の経時変化には、粒径ごとのゼータ電位が反映されることになる。したがって、検出容器３２の重量の経時変化と粒子の粒度分布とを用いることによって、粒子の粒径ごとのゼータ電位が簡便に得られる。また、通常は困難である平均粒径１０μｍ以上の大粒子のゼータ電位であっても測定することができる。
【００５０】
ゼータ電位が粒径ごとに異なることを利用すると、粒子の分級を行うことができる。粒径に対するゼータ電位の微分値（勾配）が大きいと、分級を行って得られる粒子における粒径の変動係数（ＣＶ）を小さくすることができる。
【００５１】
次に、図４〜６を用いて、懸濁液中の粒子をシリカ粒子とした場合の実験例について説明する。
【００５２】
図４は、粒度分布の一例を示すグラフである。横軸は粒径Ｄｐ（μｍ）を示す。縦軸は頻度（％）を示す。
【００５３】
図５は、検出容器の重量の経時変化（沈降曲線）の一例を示すグラフである。横軸は時刻ｔ（秒）を示す。縦軸は検出容器３２の重量（グラム）を示す。電極４４，４６間に印加される電圧が０Ｖの場合、検出容器３２の重量は経時変化していない。電極４４，４６間に印加される電圧が７０Ｖの場合、検出容器３２の重量は経時的に増加している。図５に示されるように、電界を印加することにより、細かい粒子であっても沈降速度を早くすることができる。
【００５４】
図６は、粒径とゼータ電位との関係の一例を示すグラフである。横軸は粒径Ｄｐ（μｍ）を示す。縦軸はゼータ電位（ｍＶ）を示す。シリカ粒子の密度ρｐを２．２４ｇ／ｃｍ３とした。ビーズミルの回転数を２３００ｒｍｐとした。図６に示されるように、粒径が大きくなるに連れてゼータ電位の絶対値が徐々に小さくなっている。なお、ビーズミルの回転数によってゼータ電位の値は異なる。
【００５５】
次に、図７〜８を用いて、懸濁液中の粒子をアクリル樹脂粒子（中位径２．５９μｍ、比重１．１８ｇ／ｃｍ３）とした場合の実験例について説明する。
【００５６】
図７は、検出容器の重量の経時変化の別の例を示すグラフである。横軸は時刻ｔ（秒）を示す。縦軸は検出容器３２の重量（グラム）を示す。電極４４，４６間に印加される電圧ΔＶを３０Ｖとした。アクリル樹脂粒子の濃度Ｃ０を０．７５ｗｔ％とした。粒径１００μｍのシリカ粒子を用いて、周速度（ｕθ）６．６５ｍ／ｓで３０分間ビーズミルを行うことによって、アクリル樹脂粒子に電荷を付与した。
【００５７】
図８は、粒径とゼータ電位との関係の別の例を示すグラフである。横軸は粒径Ｄｐ（μｍ）を示す。縦軸はゼータ電位（ｍＶ）を示す。アクリル樹脂粒子の密度ρｐｅを１．１８ｇ／ｃｍ３とした。図８に示されるように、粒径が大きくなるに連れてゼータ電位の絶対値が徐々に大きくなっている。樹脂粒子のゼータ電位の勾配（図８）は、無機粒子のゼータ電位の勾配（図６）と逆になっている。ゼータ電位の個数平均は−３７．１ｍＶであった。一方、ゼータサイザーにより測定されたゼータ電位は−４２ｍＶであった。本実施形態において測定されたゼータ電位は、ゼータサイザーにより測定されたゼータ電位に近い値であった。
【００５８】
（第２実施形態）
図９は、第２実施形態に係るゼータ電位測定システムを模式的に示す図である。図９に示されるゼータ電位測定システム１０Ａは、検出容器３２、支持ワイヤ３４及び測定装置３６に代えて圧力検知部５４、支持部材５２及び測定装置５０を備えること以外は、図１に示されるゼータ電位測定システム１０と同一の構成を備えている。よって、ゼータ電位測定システム１０Ａは、検出容器３２、支持ワイヤ３４及び測定装置３６を除くゼータ電位測定システム１０の構成に基づく作用効果と同様の作用効果を少なくとも奏する。
【００５９】
圧力検知部５４は、懸濁液の液面から深さｈに配置されている。圧力検知部５４は、支持部材５２を介して測定装置５０に接続されている。本実施形態において、測定装置５０は、深さｈにおいて圧力の経時変化を測定する圧力センサである。測定装置５０は、演算装置３８に接続されている。これにより、測定装置５０において測定された圧力データは演算装置３８に送られる。演算装置３８は、深さｈにおける圧力の経時変化と粒子の粒度分布とを用いて、第１実施形態と同様にゼータ電位を算出することができる。この場合、式（１）の左辺は、Ｐｔ／Ｐｔｅとなる。Ｐｔは、時刻ｔにおける圧力変化量を示す。Ｐｔｅは、測定終了時刻における圧力変化量を示す。なお、懸濁液の液面にも別の圧力検知部を配置して圧力を測定し、懸濁液の液面と深さｈとの間の圧力差を測定してもよい。
【００６０】
本実施形態では、深さｈにおける圧力に関連するパラメータの一例として、深さｈにおける圧力が測定される。この場合、粒子が移動することによって、深さｈにおける圧力は経時的に小さくなる。本実施形態では、第１実施形態と同様に、深さｈにおける圧力の経時変化と粒子の粒度分布とを用いることによって、粒子の粒径ごとのゼータ電位が簡便に得られる。
【００６１】
以上、本発明の好適な実施形態について詳細に説明したが、本発明は上記実施形態に限定されない。
【００６２】
例えば、懸濁液の液面から深さｈにおける圧力に関連するパラメータは、任意の物理量を用いて圧力を変換して得られるパラメータでもよいし、圧力を間接的に検知可能なパラメータでもよい。
【符号の説明】
【００６３】
１０，１０…Ａゼータ電位測定システム、１２…電荷付与装置、３２…検出容器（物体）、３６，５０…測定装置、３８…演算装置、４４，４６…電極。
【図１】
0005713349.tif 000004
【図２】
0005713349.tif 000005
【図３】
0005713349.tif 000006
【図４】
0005713349.tif 000007
【図５】
0005713349.tif 000008
【図６】
0005713349.tif 000009
【図７】
0005713349.tif 000010
【図８】
0005713349.tif 000011
【図９】
0005713349.tif 000012